(57)【要約】      （修正有）【課題】自分の目に目の化粧品を正確に適用することは、特に個々のつけまつげを付着させるために必要とされる精度では、従来の平面鏡を使用することで不可能ではないにしても困難であるのでこれを改善する。【解決手段】拡大化粧用ミラー１０が、使用者の目の周りに化粧品を適用するために利用され得る３点反射経路を提供し得る。化粧用ミラーは、ベースミラー１２と、ベースミラーの両側から角度を成して延びるサイドミラー１４ａ、１４ｂとを有するように構成することができる。サイドミラーは、ベースミラーの上に置かれたときに目の反射像を提供するように構成され得る。また、ベースミラーは、目の反射像を提供するように構成されてもよく、各ミラーは実質的に平坦であってもよい。【選択図】図１ａ
2019155065.tif 000002
【特許請求の範囲】
【請求項１】
化粧用ミラーであって、
２つの長辺と２つの短辺を有するベースパネルの表面のベースミラーと、
第１のサイドパネル及び第２のサイドパネルのそれぞれの表面の第１のサイドミラーと第２のサイドミラーとの間の３点反射経路であって、前記第１のサイドパネル及び第２のサイドパネルが、前記ベースパネルの前記２つの長辺の対向する平行な縁部に取り付けられた、３点反射経路と、
を具えることを特徴とする化粧用ミラー。
【請求項２】
請求項１に記載の化粧用ミラーにおいて、
前記第１のサイドミラーおよび前記第２のサイドミラーのそれぞれは、実質的に平坦であることを特徴とする化粧用ミラー。
【請求項３】
請求項１に記載の化粧用ミラーにおいて、
前記第１のサイドミラー及び前記第２のサイドミラーのそれぞれの角度が等しいことを特徴とすることを特徴とする化粧用ミラー。
【請求項４】
請求項１に記載の化粧用ミラーにおいて、
前記第１のサイドミラー及び前記第２のサイドミラーは、前記第１のサイドミラーと前記第２のサイドミラーとの間の菱形の第１の頂点に対応する位置で対象物の反射を生成することを特徴とする化粧用ミラー。
【請求項５】
請求項４に記載の化粧用ミラーにおいて、
前記３点反射経路は、前記第１の頂点と、前記第１のサイドミラーに接触するように配置された第２の頂点と、前記第２のサイドミラーに接触するように配置された第３の頂点とを有することを特徴とする化粧用ミラー。
【請求項６】
請求項１に記載の化粧用ミラーにおいて、
前記第１のサイドパネル及び前記第２のサイドパネルは、それぞれ、第１のヒンジ及び第２のヒンジを介して前記ベースパネルの前記２つの長辺の対向する平行な縁部に取り付けられていることを特徴とする化粧用ミラー。
【請求項７】
請求項６に記載の化粧用ミラーにおいて、
前記第１および第２のヒンジは、前記第１のサイドパネル及び前記第２のサイドパネルを、選択された角度で閉じた位置と開いた位置との間で互いに対して移動させることを特徴とする化粧用ミラー。
【請求項８】
請求項６に記載の化粧用ミラーにおいて、
前記選択された角度は、前記第１及び第２ヒンジの最大開放位置であることを特徴とする化粧用ミラー。
【請求項９】
請求項６に記載の化粧用ミラー装置において、
前記第１及び第２のヒンジの各々は、前記選択された角度で戻り止めを有することを特徴とする化粧用ミラー。
【請求項１０】
請求項１に記載の化粧用ミラーにおいて、
さらに、前記ベースパネルの背面に取り付け可能なマグネットまたはクリップを具えることを特徴とする化粧用ミラー。
【発明の詳細な説明】
【技術分野】
【０００１】
関連出願との相互参照
本出願は、２０１４年９月３日出願された仮出願第６２／０４５，１２２号に基づいて、３５Ｕ．Ｓ．Ｃ．§１１９（ｅ）の下で優先権を主張する、「MIRROR FOR APPLYING EYE COSMETICS」と題される２０１５年９月２日に出願された米国特許出願第１４／８４３，５６９号の継続出願である、「MIRROR FOR APPLYING EYE COSMETICS」と題される２０１７年１月４日に出願された米国特許出願第１５／３９８，４８７号の一部継続出願であり、これらの各々は、その全体が参照により組み込まれる。
【０００２】
本開示は、目に化粧品を適用する際に使用するためのミラーの分野にある。本開示の実施形態は、目またはその近傍にマスカラ、アイライナー、つけまつげ、および他の化粧品を適用するために使用されるミラーに関する。
【背景技術】
【０００３】
多くの女性および実際には一部の男性は、多くの場合、目またはその近くに様々なタイプの化粧品を適用する。これらの化粧品には、まつげを黒くし、濃くし、長くし、または目に見えるよう輪郭を示すための、顔料、オイル、ワックス、及び防腐剤から成る液体、ケーキ状、又はクリーム組成物の形態の、一般に「マスカラ」と呼ばれるものが含まれる。他のタイプの目の化粧品には、個々のまつげ、まつげエクステンション、又はまつげ一式の形態で、接着剤を用いてまつげ又は目蓋に付けられるつけまつげが含まれる。アイライナー及びアイシャドーは、目蓋に適用される他のタイプの目の化粧品となっている。
【０００４】
これらの様々なタイプの目の化粧品を自分の目に適用することは必然的に厄介である。これらの化粧品、特につけまつげを閉じた目に適用することは容易であるが、当然ながら、化粧品を正確に配置するためには目を開けておく必要がある。自分の目に目の化粧品を正確に適用することは、特に個々のつけまつげを付着させるために必要とされる精度では、従来の平面鏡を使用することで不可能ではないにしても困難である。
【発明の概要】
【０００５】
本開示の実施形態は、目の化粧品の適用を助けるために、使用者が目蓋の上部および下部の双方並びにまつげを見ることを可能にするミラーの構成を提供する。化粧用ミラーは、２つの長辺と２つの短辺を有するベースパネルの表面にベースミラーを提供する。この化粧用ミラーは、第１のサイドパネルおよび第２のサイドパネルの表面のそれぞれにおいて、第１のサイドミラーと第２のサイドミラーとの間にある３点反射経路を提供する。第１および第２のサイドミラーの各々は、実質的に平坦である。第１のサイドミラーと第２のサイドミラーのそれぞれの角度は等しい。第１のサイドミラー及び第２のサイドミラーは、第１のサイドミラーと第２のサイドミラーとの間の距離に対応する長さの辺を有する、第１のサイドミラーと第２のサイドミラーとの間の菱形の第１の頂点に対応する位置において対象物の反射を生成する。３点反射経路は、第１の頂点、第１のサイドミラーに接触するように配置された第２の頂点、及び第２のサイドミラーに接触するように配置された第３の頂点を有する。第１のサイドパネルおよび第２のサイドパネルは、それぞれ第１のヒンジおよび第２のヒンジを介して、ベースパネルの２つの長辺の対向する平行な縁部にそれぞれ取り付けられる。第１および第２のヒンジは、第１のサイドパネルおよび第２のサイドパネルを、選択された角度で閉じた位置と開いた位置との間で互いに対して移動させることができる。選択された角度は、第１および第２ヒンジの最大開放位置であってもよい。第１および第２ヒンジの各々は、選択された角度で戻り止めを有することができる。磁石またはクリップが、ベースパネルの背面に取り付け可能である。
【０００６】
本開示の実施形態は、使用者の目蓋の視野の著しい拡大を提供するミラーの構成を提供する。第１および第２サイドパネルのそれぞれの表面の第１および第２サイドミラー間に３点反射経路を設けることができる。第１および第２のサイドパネルは、リニアヒンジを介して対応する縁部に沿って互いに接合されている。リニアヒンジは、化粧用ミラーが開く最大角度でロックすることができる。化粧用ミラーが開いているとき、戻り止めは、選択された角度でリニアヒンジを保持する。３点反射経路は、第１の頂点、第１のサイドミラーに接触するように配置された第２の頂点、及び第２のサイドミラーに接触するように配置された第３の頂点を有する。第１および第２のサイドミラーにより、３点反射経路の第１の頂点に使用者の目を位置させることができ、これにより、使用者が頭を動かさずに第１または第２のサイドミラーに焦点を合わせることによって、使用者の目蓋の上部の反射を見ることができる。
【０００７】
本開示の実施形態は、２つの長辺、２つの短辺および鏡面を有するベースパネルを有する化粧用ミラーを提供する。第１のサイドパネルと第２のサイドパネルとの間の３点反射経路が、ベースパネルの２つの長辺の対向する平行な縁部に固定されている。第１のサイドパネルおよび第２のサイドパネルのそれぞれは、鏡面を有する。ベースパネルおよび第１のサイドパネルおよび第２のサイドパネルの鏡面は、ベースパネルおよび第１のサイドパネルおよび第２のサイドパネルにそれぞれ取り付けられる実質的に平坦なミラーである。第１のサイドパネルおよび第２のサイドパネルの鏡面は、使用者が頭を動かすことなく、使用者の目の上目蓋および下目蓋を見ることができる反射を提供する。第１のサイドパネルおよび第２のサイドパネルのそれぞれの鏡面は、第１のサイドパネルと第２のサイドパネルとの間の距離に対応する長さの辺を有する、第１のサイドパネルおよび第２のサイドパネルの鏡面の間の菱形の頂点に対応する位置に物体の反射像を生成する。ベースパネルに対する第１のサイドパネルの角度は、ベースパネルに対する第２のサイドパネルの角度に等しい。ベースパネルの鏡面は、実質的に平坦である。
【０００８】
本開示の実施形態の他の利点および利点は、本明細書を参照する当業者には明らかであろう。
【図面の簡単な説明】
【０００９】
【図１ａ】図１ａは、本開示の一実施形態に係る化粧用ミラーの斜視図である。
【図１ｂ】図１ｂは、当該実施形態に係る図１ａの化粧用ミラーの側面図である。
【図１ｃ】図１ｃは、当該実施形態に係る図１ａの化粧用ミラーの鏡面の図式的側面図である。
【図１ｄ】図１ｄは、当該実施形態の代替的な実施形態に係る図１ａの化粧用ミラーの背面図である。
【図２ａ】図２ａは、一実施形態に係る化粧用ミラーの実施形態の斜視図である。
【図２ｂ】図２ｂは、一実施形態に係る化粧用ミラーの実施形態の斜視図である。
【図２ｃ】図２ｃは、図３ａ及び図２ｂの化粧用ミラー用の２つの目的のためのケース及びベースの斜視図である。
【図２ｄ】図２ｄは、図３ａ及び図２ｂの化粧用ミラー用の２つの目的のためのケース及びベースの斜視図である。
【図２ｅ】図２ｅは、当該実施形態に係るミラーの保管を示す、図２ａ乃至図２ｄの化粧用ミラーおよびベースの側面図である。
【図２ｆ】図２ｆは、当該実施形態によるミラーの使用を示す、図２ａ乃至図２ｄの化粧用ミラーおよびベースの側面図である。
【図３ａ】図３ａは、本開示の一実施形態に係る折り畳み式ミラーの側面図である。
【図３ｂ】図３ｂは、本開示の一実施形態に係る折り畳み式ミラーの平面図である。
【図３ｃ】図３ｃは、本開示の一実施形態に係るコンパクトミラーの斜視図である。
【図４ａ】図４ａは、本開示の別の実施形態に係るコンパクトな化粧用ミラーの鏡面の図式的側面図である。
【図４ｂ】図４ｂは、図４ａのコンパクトミラーの側面斜視図である。
【図５ａ】図５ａは、本開示の一実施形態に係る化粧用ミラーの斜視図である。
【図５ｂ】図５ｂは、当該実施形態に係る図５ａの化粧用ミラーの側面図である。
【図５ｃ】図５ｃは、当該実施形態に係る図１ａの化粧用ミラーの鏡面の図式的側面図である。
【図５ｄ】図５ｄは、当該実施形態の代替的な実施形態に係る図１ａの化粧用ミラーの背面図である。
【図６ａ】図６ａは、一実施形態に係る化粧用ミラーの実施形態の斜視図である。
【図６ｂ】図６ｂは、一実施形態に係る化粧用ミラーの実施形態の斜視図である。
【発明を実施するための形態】
【００１０】
本明細書に記載されている１又はそれ以上の実施形態は、このような実施形態は、その文脈において特に有利であると考えられるため、マスカラ、アイライナー、つけまつげ等の目の化粧品の用途で使用するための鏡に実装されている。しかしながら、本開示の概念は、他の用途、例えば他の化粧品の用途に有利に適用され得ることも考えられる。したがって、以下の説明は単なる例として提供され、特許請求の範囲に記載された本開示の真の範囲を限定することを意図するものではないことを理解されたい。
【００１１】
図１ａから１ｄは、本開示の一実施形態による化粧用ミラー１０を示す。図１ａおよび図１ｂに示すように、化粧用ミラー１０は、ベースパネル１６の表面にベースミラー１２を有し、各サイドパネル１８ａ、１８ｂの表面に２つのサイドミラー１４ａ、１４ｂを有する。ベースパネル１６およびサイドパネル１８ａ、１８ｂは、硬質プラスチック、金属、または他の比較的剛性の材料で構成することができる。サイドパネル１８ａ、１８ｂは、ベースパネル１６の（典型的には互いに平行な）対向する縁部に取り付けられている。この実施形態では、サイドパネル１８ａ、１８ｂは、図１ａから図１ｃに示すように、ベースパネル１６の長い方の辺の縁部に固定されている。
【００１２】
ミラー１２、１４ａ、１４ｂは、ベースパネル１６およびサイドパネル１８ａ、１８ｂにそれぞれ取り付けられた従来のガラスまたはプラスチックミラーであってもよく、あるいは、それぞれのパネル１６、１８ａ、１８ｂの鏡面であってもよい。化粧用ミラー１０が、マスカラ、個々の及びフルラッシュタイプのつけまつげ、アイライナー等の化粧品の適用を補助するこの実施形態によれば、ミラー１２、１４ａ、１４ｂは、焦点距離が使用時に目の視界を拡大するよう選択された凹面鏡である。以下でさらに詳細に説明するように、ミラー１４ａ、１４ｂは、化粧用ミラー１０に対して、使用者が頭を動かさずに上目蓋および下目蓋の両方を見ることができる位置に置かれた目のための特定の倍率特性を提供するように構成されている。さらに、ベースミラー１２は、この同じ位置で目を用いて拡大することもできるが、ミラー１４ａ、１４ｂの倍率と比較して異なる倍率を有してもよい。
【００１３】
図１ａから図１ｄのこの例によれば、ベースパネル１６は、その幅１２Ｗよりも長い長さ１０Ｌを有する。長さ１０Ｌは事実上化粧用ミラー１０の全体の長さであり、特定の実施形態に望ましいように選択することができる。一例では、長さ１０Ｌは約５インチ程度である。この例におけるベースパネル１６の幅１２Ｗは、２と４分の１インチ程度であり、サイドミラー１４ａ、１４ｂ間の距離を規定する。以下でさらに詳細に説明するように、この幅１２Ｗは、ミラー１４ａ、１４ｂの倍率特性に影響を与えるか、またはその影響を受ける。ベースパネル１６の幅１２Ｗは、例えば、ベースミラー１２が後述するように凹面ミラーである場合、ベースミラー１２の幅に正確に対応してもよく、そうでなくてもよい。サイドパネル１８およびサイドミラー１４の幅１４Ｗは、（ベースパネル１６からのサイドパネル１８の角度とともに）その幅により使用者が目の上部と下部の両方を見るために適切な場所に使用者の目を置くことができる限り、所望に応じて選択することができる。一例では、幅１４Ｗは、約１インチ乃至約３インチのオーダーの範囲であり得る。
【００１４】
この説明から明らかなように、化粧用ミラー１０は、使用者が目にまたはその近くに化粧品を適用するのを助けるように構成されている。この特徴は、各サイドパネル１８ａ、１８ｂが、ベースパネル１６に対して鈍角（すなわち、９０°よりも大きな角度）で、または鈍角に位置決め可能であるように、ベースパネル１６に取り付けられていることに起因し、ベースパネル１６は、この実施形態では、ベースミラー１２に対して鈍角でサイドミラー１４ａ、１４ｂを位置決めする。後述するように、ベースミラー１２およびサイドミラー１４ａ、１４ｂは、球面凹面鏡のような拡大ミラーであるため、これらの角度は、それぞれの頂点におけるそれらのミラーに対する接線の角度、すなわち、平面鏡として構成されている場合のそれらの鏡の間の角度に対応する。この定義によれば、図１ｂに示すように、サイドミラー１４ａは、ベースミラー１２に対して鈍角θ（ａ）であり、サイドミラー１４ｂは、ベースミラー１２に対して鈍角θ（ｂ）である。角度θ（ａ）とθ（ｂ）は、通常、互いに等しくなると考えられる。代替的に、これらの角度θ（ａ）およびθ（ｂ）は、いくつかの実施において異なり得る。例えば、角度θ（ａ）およびθ（ｂ）の各々は、約１１０°乃至約１６０°の範囲であり得る。以下でさらに詳細に説明するように、これらの角度θ（ａ）およびθ（ｂ）も、図１ｃを参照してここで説明するように、ミラー１４ａ、１４ｂの倍率特性に影響を与えるか、影響を受ける。
【００１５】
この実施形態によれば、上述したように、サイドミラー１４ａ、１４ｂは拡大鏡である。特に、サイドミラー１４ａ、１４ｂは、それぞれ、化粧用ミラー１０の通常の使用において、使用者の目が、各サイドミラー１４ａ、１４ｂから焦点距離よりも短い距離にあるように、十分に大きな曲率半径を有する実質的に球面の凹面鏡として構成されている。この説明の目的のために、「実質的に球形の」という用語は、完全に球形ではないが、これらの実施形態の文脈内で完全な球面と同様に挙動するように、球形に十分に近い表面を指す。使用者の目は、それぞれのサイドミラー１４ａ、１４ｂから焦点距離よりも短い距離にあるので、それらのミラー内の目の虚像は正立（即ち、倒立していない）で拡大される。
【００１６】
上述したように、サイドミラー１４ａ、１４ｂの間の距離を規定する化粧用ミラー１０の幾何学的形状、特にベースパネル１６の幅１２Ｗ、及びサイドミラー１４ａ、１４ｂの角度θ（ａ）及びθ（ｂ）は、ベースミラー１２に対して、焦点距離、ひいてはサイドミラー１４ａ、１４ｂの倍率を制限する。ベースミラー１２に対するサイドミラー１４ａ、１４ｂの角度θ（ａ）及びθ（ｂ）の幅１２Ｗ、サイドミラー１４ａ、１４ｂの曲率半径の間のこの相互作用は、図１ｃに示す正三角形１５を参照して考えることができる。図１ｃの向きでは、使用者は、目の下にあるサイドミラー１４ａと目の上にあるサイドミラー１４ｂとを用いて化粧用ミラー１０の中を下方に見ている。使用者が、正三角形１５の辺の１つが（例えば、これらの凹面鏡の頂点における）サイドミラー１４ａ、１４ｂの間の水平距離である場合に、正三角形１５の頂点またはその近傍に目Ｅを置く場合、化粧用ミラー１０は、ベースミラー１２のまっすぐ前方からの使用者の目の拡大反射を見ることができるように構成され、使用者の頭を動かすことなく、使用者の目Ｅの焦点合わせるだけで、下方に位置するサイドミラー１４ａにおいて使用者の目蓋の上部の拡大反射と、上方に位置するサイドミラー１４ｂにおいて使用者の目蓋の下部の拡大反射とを見ることができる。実際には、使用者は、サイドミラー１４ａに下向きに焦点を合わせることによって目蓋の上部を見て、サイドミラー１４ｂに上向きに焦点を合わせることによって目蓋の下部を見る。しかしならがら、双方の場合において、使用者の目の視界は、サイドミラー１４ａ、１４ｂの湾曲によって拡大され、この実施形態による目の化粧品の適用を著しく容易にする。化粧用ミラー１０の開いた側部、すなわちサイドミラー１４ａ、１４ｂが取り付けられていない側部は、使用者が目の領域にアクセスできるようにして、所望の化粧品を適用することができる。
【００１７】
化粧用ミラー１０の一実施例によれば、幅１２Ｗは約２と４分の１インチであり、角度θ（ａ）およびθ（ｂ）はθ＝１２０°で互いに等しい。この例では、サイドミラー１４ａ、１４ｂは、ベースミラー１２の中心（すなわち、正三角形１５の頂点）より約４と２分の１インチの距離ＥＹＥ＿ＤＩＳＴで対象物（すなわち、使用者の目Ｅ）に対して５倍の倍率を有するように構成されている。この位置では、使用者は、サイドミラー１４ａ内の使用者の目蓋の上部の拡大図、サイドミラー１４ｂ内の使用者の目蓋の下部の拡大図、及び使用者の頭を動かすことなく、ベースミラー１２で使用者の目の拡大された真っ直ぐな視野を見ることができる。
【００１８】
ベースパネル１６の幅１２Ｗおよび角度θ（ａ）およびθ（ｂ）のパラメータのいずれかの変化は、サイドミラー１４ａ、１４ｂの焦点距離、したがって倍率に影響を及ぼし得る。例えば、幅１２Ｗを広くすると、増大した距離で使用者の目の拡大された直立画像を確実にするために、サイドミラー１４ａ、１４ｂの焦点距離が増加する（すなわち、曲率半径が増加する）必要がある。逆に、倍率を上げるためにサイドミラー１４ａ、１４ｂの曲率半径を小さくすると、使用者の目Ｅの位置がサイドミラー１４ａ、１４ｂにより近づき、サイドミラー１４ａ、１４ｂの焦点の直前で留まるように、ベースパネル１６の幅１２Ｗを小さくするか、又は、角度θ（ａ）、θ（ｂ）を小さくする必要があるが、この状況はまた、より近い距離で使用者の顔を収容するために、ベースミラー１２の上のサイドミラー１４ａ、１４ｂの高さを短くする必要がある。上記の寸法の化粧用ミラー１０については、角度θ（ａ）およびθ（ｂ）は約１１０°から約１３０°の範囲にあるべきである。
【００１９】
本明細書、特に上述の構成パラメータと拡大側のミラー１４ａ、１４ｂとの間の関係を参照する当業者であれば、上述した構成パラメータと拡大側ミラー１４ａ、１４ｂとの間の関係は、過度の実験をすることなく特定の所望のミラー配置を容易に構成することができると考えられる。
【００２０】
また、ベースミラー１２は、好ましくは、例えば実質的に球面の凹面鏡（明確性のために図１ｃには示されていない曲率）としても構成された本実施例の拡大鏡である。ベースミラー１２の倍率は、サイドミラー１４ａ、１４ｂの相互作用倍率及び角度θに影響を及ぼさず、また幅１２Ｗに直接影響しない。このように、ベースミラー１２の倍率は、所望の結果を提供するよう独立して選択することができる。サイドミラー１４ａ、１４ｂが約５倍の倍率を有する上述の例では、ベースミラー１２は、図１ｃに示される位置において目Ｅに対して約１０倍の倍率を有することができる。
【００２１】
図１ｄは、化粧用ミラー１０の一実施形態の背面を示す。本実施例では、ベースパネル１６の背面に、化粧用ミラー１０を浴室鏡のような垂直面に取り付けるためのオプションの接着ストリップ１７が設けられている。接着ストリップ１７は、ベースパネル１６内に製造することができ、又は代替的に、例えば、剥離および接着ストリップの形態の顧客オプションとして提供することができる。さらに代替例では、接着ストリップ１７を磁気ストリップとして構成することができるので、化粧用ミラー１０を垂直面に取り外し可能に取り付けることができ、接着ストリップ１９を両面接着ストリップにしてより永久的に取り付けることができる。ブランド化の目的のために、ベースパネル１６の裏側にロゴを設けることができる。
【００２２】
図２ａから図２ｆは、一実施形態に係る、ベース２０と組み合わせて上述した化粧用ミラー１０を有する化粧用ミラーシステムの構成を示す。この実施形態では、ベース２０は、使用されていないときのミラー１０用の容器としても機能する。図２ａは、図１ａ〜図１ｄの化粧用ミラー１０の特定の実施例を示しており、ベースパネル１６’は、ベースミラー１２を囲む短い壁部分を有し、サイドパネル１８ａ’、１８ｂ’は、同様に、サイドミラー１４ａ、１４ｂをそれぞれ囲む短い壁部分を有する。この構成では、図２ｂの底面斜視図に示すように、ベースパネル１６’の底面の対角線上の対向するコーナーには、選択された直径の円形の足部１９がそれぞれ設けられ、ベースパネル１６’の底面の他の対角に対向するコーナーには、それぞれ、足部１９の直径よりも大きな直径の円形の足部２１が設けられている。例えば、ベースパネル１６’が成形プラスチックで構成されている場合、足部１９、２１は、ベースパネル１６’を形成する成形体の成形突起として形成することができる。ベースパネル１６’およびサイドパネル１８ａ’、１８ｂ’は、全体的に単体として成形することができると考えられるが、代替的に、これらの要素を別々に成形し、その後で組み立てたときに互いに取り付けることができる。図２ｂに示すこの例では、足部１９、２１は環状体の形状をしているが、足部１９、２１の特定のサイズおよび形状は、ここで図２ｃおよび図２ｄを参照して説明するように、ベース２０の構成に対応する。
【００２３】
図２ｃのベース２０は、矩形のベースパネル２６と、２つの台形のサイドパネル２４と、２つの矩形のサイドパネル２５とを有するオープントップ容器として形成されている。台形のサイドパネル２４のそれぞれは、ベースパネル２６の対向する辺から略垂直に延びるように、ベースパネル２６の辺に取り付けられた短い平行な辺を有する。矩形のサイドパネル２５は、ベースパネル２６の辺に互いに対向するように取り付けられ、台形のサイドパネル２４の非平行な辺によって規定される角度でベースパネル２６から離れるように延びる。パネル２５、２６の隣接する辺は、互いに取り付けられている。ベース２０は成形プラスチックで構成することができ、この場合、ベースパネル２６及びサイドパネル２４，２５は全体として一体的にベース２０に成形することができるが、代替的に、これらの要素を別々に成形し、その後で組み立てたときに互いに取り付けることができる。この実施形態によれば、ベースパネル２６は、対角線上に対向するコーナーに孔２２の例を有する一方、ベースパネル２６の対角線上に対向するコーナーの他方の組が、より大きい直径の孔２３の例を有する。化粧用ミラー１０のベースパネル１６’には、足部１９の大きさ及び形状に対応した大きさ及び形状の孔２２が形成されており、ベースパネル１６’には、足部２１の大きさ及び形状に対応した大きさ及び形状を有する孔２３が形成されている。
【００２４】
この例では、ベース２０のベースパネル２６の孔２２、２３は、それに応じてベースパネル１６’の対応する足部１９、２１をぴったり受け入れるのに適したサイズの円形である。例えば、孔２２、２３のサイズは、足部１９、２１の外径にそれぞれぴったり合う場合がある。このようにサイズが密接に対応すると、足部１９、２１の環状体形状は、それぞれの孔２２、２３に挿入されたときにある程度の撓みを許容し、その結果、スナップ嵌めとなる。同様の向きの孔２２、２３と組み合わせて、あるサイズの足２１に対する別のサイズの足部１９の対角線方向は、以下に説明するように、ベース２０の１つの向きではベース２０の中への化粧用ミラー１０のこのスナップ嵌めを可能にするが、別の向きではベース２０に嵌めることは不可能である。
【００２５】
ベース２０は、化粧用ミラー１０のサイズに対応するサイズを有する。より具体的には、ベース２０の内部容積は、ベース２０内に化粧用ミラー１０を配置するのに適した大きさであり、化粧用ミラー１０のサイドパネル１８ａ’、１８ｂ’がベース２０の矩形のサイドパネル２５の内側に沿って設けられている。図２ｅは、ベース２０内に配置された化粧用ミラー１０の断面図を示す。ベース２０の内部容積は、図２ｅに示唆されるように、接近しているが密着しないようにするために化粧用ミラー１０の外側寸法よりわずかに大きいことが望ましい。この実施形態では、ベース２０のベースパネル２６の孔２２、２３の向きは、図２ｅに示すように、化粧用ミラー１０がベース２０の内部に配置されたときに、ベースパネル１６’の大きい方の足部２１がベース２０のベースパネル２６のより小さい孔２２と一致するように、選択される。これにより、使用されていないときにベース２０が化粧用ミラー１０のための安全かつ保護された格納部を提供することを可能にする一方で、化粧用ミラー１０が購入者による包装および初期使用に都合がよいと考えられるこの向きの場所にスナップすることが防止される。
【００２６】
この実施形態によるその反対の向きでは、ベース２０は、図２ｆに関連してここで説明するように、使用時に化粧用ミラー１０のためのスタンドとして働く。これは、ベース２０の内部から化粧用ミラー１０を取り外し、ベース２０を回転させて、その大きな開口端をテーブルまたは化粧面にセットし、次にひっくり返ったベース２０のベースパネル２６に化粧用ミラー１０をセットすることによって達成される。この向きでは、小さな足部１９がベースパネル２６のより小さい孔２２と嵌合し、大きな足部２１がベースパネル２６のより大きい穴２３と嵌合して、図２ｆに示すように、足部１９、２１がそれぞれ孔２２、２３を通って嵌合する。したがって、ベース２０は化粧用ミラー１０のためのスタンドとして機能し、それを快適な高さに近づけ、使用者が、ベース２０から摺動する危険性がある化粧用ミラー１０を使用せずに上記のようにベースミラー１２およびサイドミラー１４ａ、１４ｂから適切な距離に目を置くことができる。
【００２７】
使用者が化粧用ミラー１０を見下ろすような、図１ｃおよび図２ｆの向きに化粧用ミラー１０を使用する代わりに、化粧用ミラー１０を他の向きで使用することができる。例えば、図１ｄに示すように任意選択の接着ストリップ１７が適用される場合、化粧用ミラー１０は、バスルームミラーのような垂直面に取り付けられてもよく、この場合、使用者は、垂直に向けられたベースミラー１２の方にまっすぐに見る。さらなる代替例では、化粧用ミラー１０は、使用者が所望の目の化粧品を適用するための快適な向きで簡単に手に持って操作することができる。これらの各場合において、使用者は、図１ｃに関連して上述したように、ミラー１２、１４ａ、１４ｂの幾分近くに使用者の目を置いて、対応するサイドミラー１４ａ、１４ｂ内の使用者の上及び下のまつげを見る利点を得る一方、使用者のまつげを直視するためにベースミラー１２を直接見ていることが考えられる。
【００２８】
これらの構成のそれぞれにおいて、化粧用ミラー１０は、サイドミラー１４ｂがベースミラー１２の上部にあり、サイドミラー１４ａがベースミラー１２の下部にあるように、使用時に逆転されてもよい。角度θ（ａ）及びθ（ｂ）が互いに同じであり、倍率がサイドミラー１４ａ、１４ｂについて同じである場合、使用上の差異は生じない。しかしながら、これらの角度または倍率が異なる場合、異なる使用者は、角度の逆転が好ましいことを知ることができる。
【００２９】
ヒンジを使用してサイドパネルおよびサイドミラーをベースパネルおよびベースミラーに取り付ける代替的実施形態が考えられる。ここで、これらの代替的実施形態の例を図３ａから３ｃに関連して説明する。
【００３０】
図３ａは、別の実施形態による化粧用ミラー３０の側面図を示す。この例では、化粧用ミラー３０は、その対向縁にサイドパネル３８ａ、３８ｂが取り付けられたベースパネル３６を含む。この例では、サイドパネル３８ａはヒンジ３９ａを介してベースパネル３６の縁部に取り付けられ、サイドパネル３８ｂはヒンジ３９ｂを介してベースパネル３６の縁部に取り付けられる。ヒンジ３９ａ、３９ｂは、例えば化粧用ミラー３０が折り畳まれるように、ベースパネル３６に向かって内側にそれぞれの側部パネル３８ａ、３８ｂを折り曲げる。図３ｂは、（ブランド戦略の目的のために、サイドパネル３８の１つの外側にロゴを有する）完全に閉じた位置の化粧用ミラー３０を示す。
【００３１】
図３ａに示すように、サイドパネル３８ａ、３８ｂを開くことができる最大角度を規定するために、ヒンジ３９ａ、３９ｂで、ベースパネル３６の縁部とサイドパネル３８ａ、３８ｂの間に隙間をそれぞれ設けることができる。この最大角度は、マスカラの適用における使用のために好ましい角度であってもよく、又は代替的に、ヒンジ３９ａ、３９ｂは、使用者が望むように、閉じた角度とこの最大角度との間の任意の角度でサイドパネル３８ａ、３８ｂの位置を保持するように構成されてもよい。
【００３２】
この実施形態の化粧用ミラー３０は、図１ａ〜図１ｄに関して上述したものと同様に、家庭用に適したサイズで構成することができる。しかし、この実施形態のヒンジ３９ａ、３９ｂ及び化粧用ミラー３０の折り畳み性の提供は、「トラベルサイズ」モデルに特に適している。図３ｃに示すように、トラベルサイズの化粧用ミラー３０’の例は、２と８分の１インチのオーダーの長さ３０Ｌを有し、ベースミラー３１２及びベースパネル３６の幅３２Ｗは１と２分の１インチのオーダーであり、各サイドパネル３８及びサイドミラー３４の幅３４Ｗは、２分の１インチのオーダーである。また、この折り畳み可能な化粧用ミラー３０のパネル３６、３８のサイズは、もちろん、所望の実施形態に応じて変化してもよい。
【００３３】
ここで、図４ａおよび図４ｂを参照して、別の実施形態による折り畳み式化粧用ミラー４０を、開いた位置にあるミラー４０の図式的側面図を参照して説明する。この実施形態の化粧用ミラー４０は、図３ａから３ｃの実施形態とは、ベースミラーおよび対応するベースパネルがないことによって異なる。むしろ、この実施形態の化粧用ミラー４０は、図４ｂに示すように、リニアヒンジ４２によって対応する縁部に沿って互いに接合された２つのサイドパネル４６ａ、４６ｂを有するように構成される。サイドパネル４６ａ、４６ｂは、対向する側に配置された凹面鏡４４ａ、４４ｂを有しており、ミラー４４ａ、４４ｂは、サイドパネル４６ａ、４６ｂの鏡面の凹面として構成されてもよいし、上述したように、サイドパネル４６ａ、４６ｂの表面に取り付けられたミラーであってもよい。この実施形態では、ヒンジ４２により、（すなわち、図４ａの模式図で誇張して示されている互いに閉じるミラー４４ａ、４４ｂとともに）サイドパネル４６ａ、４６ｂが互いに開閉する。好ましくは、ヒンジ４２は、ミラー４４ｂについて図４ａに示すように、凹面鏡４４ａ、４４ｂの各々が互いに対して好ましい角度φであるようにロックすることができる。この実施形態では、角度φは、それぞれの頂点における凹面鏡４４ａ、４４ｂに対する接線間の角度である。この角度φは、ミラー４０が開く最大角度であってもよく、又は代替的に、その角度φでミラー４０を保持するための戻り止めまたは他の機構によって示されてもよい。コンパクトな折り畳み可能なミラー４０は、典型的には、目の化粧品の用途に使用されるとき手持ち式であると考えられる。
【００３４】
この実施形態によれば、ミラー４４ａ、４４ｂは、角度φと組み合わせて、使用者が正三角形４５の頂点に目Ｅを置くことを可能にする焦点距離（すなわち、曲率半径）を有するように構成されており、これにより、頭部を動かすことなく、下方に位置するサイドミラー４４ａに下向きに焦点を合わせることによって、目蓋の上部の拡大反射を見ることができ、上方に位置するサイドミラー４４ｂに上向きに焦点を合わせることによって、目蓋の下部の拡大反射を見ることができる。一例では、ミラー４４ａ、４４ｂは、ミラー４４ａ、４４ｂの頂点に近い点（すなわち、正三角形４５の１辺の長さ）が互いに約３と４分の３インチの距離である場合に、約６０°の角度φに開いたときの目Ｅの約５倍の倍率を提供する焦点距離を有するように構成される。したがって、この実施形態によるコンパクトミラー４０は、目の化粧品の適用を著しく容易にすることができる便利なコンパクトミラーを提供することが考えられる。
【００３５】
図５ａ〜図５ｄは、本開示の一実施形態に係る化粧用ミラー５０を示す。図５ａ〜図５ｄに示すように、化粧用ミラー５０は、ベースパネル５６の表面にベースミラー５２を有し、それぞれのサイドパネル５８ａ、５８ｂの表面に２つのサイドミラー５４ａ、５４ｂを有している。ベースパネル５６およびサイドパネル５８ａ、５８ｂは、硬質プラスチック、金属、又は他の比較的剛性の材料で構成することができる。サイドパネル５８ａ、５８ｂは、ベースパネル５６の対向する（通常は互いに平行な）縁部に取り付けられている。この実施形態では、サイドパネル５８ａ、５８ｂは、図５ａ〜図５ｄに示すように、ベースパネル５６の長辺の縁部に固定されている。
【００３６】
ミラー５２、５４ａ、５４ｂは、ベースパネル５６およびサイドパネル５８ａ、５８ｂにそれぞれ取り付けられた従来のガラスまたはプラスチックミラーであってもよく、又は代替的に、それぞれのパネル５６、５８ａ、５８ｂのミラー面であってもよい。化粧用ミラー５０が、マスカラ、個々の又はフルラッシュタイプのつけまつげ、アイライナーなどの化粧品の適用を補助するこの実施形態によれば、ミラー５２、５４ａ、５４ｂは、使用時に目の視界を反射するように焦点距離を有していない実質的に平坦なミラーであってもよい。以下でさらに詳細に説明するように、サイドミラー５４ａ、５４ｂは、化粧用ミラー５０に対して、使用者が頭を動かさずに上目蓋と下目蓋の双方を見ることができる位置に配置された目に対して特定の反射特性を提供するように構成されている。さらに、ベースミラー５２は、この同じ位置で目に対して反射性である。
【００３７】
図５ａ〜図５ｄのこの例によれば、ベースパネル５６は、その幅５２Ｗ（図５ａ）よりも長い長さ５０Ｌ（図５ａ）を有しており、長さ５０Ｌは実質的に化粧用ミラー５０全体の長さとすることができ、特定の実施に望ましいように選択することができる。一例では、長さ５０Ｌは、約５インチ程度である。この例では、ベースパネル５６の幅５２Ｗは約２と４分の１インチのオーダーであり、サイドミラー５４ａ、５４ｂ間の距離を規定する。以下でさらに詳細に説明するように、この幅５２Ｗは、サイドミラー５４ａ、５４ｂの倍率特性に影響を与えるか、またはその影響を受ける。ベースパネル５６の幅５２Ｗは、例えばベースミラー５２が後述する凹面鏡である場合、ベースミラー５２の幅に正確に対応してもよく、そうでなくてもよい。サイドパネル５８ａ、５８ｂおよびサイドミラー５４ａ、５４ｂの幅５４Ｗは、（ベースパネル５６からのサイドパネル５８ａ、５８ｂの角度とともに）その幅により使用者が適切な位置に使用者の目を置いて使用者の目の上部と下部の双方を見ることができる限り、所望に応じて選択することができる。一例では、幅５４Ｗは、約１インチ乃至約３インチのオーダーの範囲である。
【００３８】
この説明から明らかなように、化粧用ミラー５０は、使用者が目にまたは目の近くに化粧品を適用するのを助けるように構成されている。この特徴は、ベースパネル５６に対して鈍角（すなわち、９０°よりも大きな角度）でベースパネル５６に取り付けられ得るか、又はベースパネル５６に対して配置可能な各サイドパネル５８ａ、５８ｂから生じ、この実施形態では、ベースミラー５２に対して鈍角でサイドミラー５４ａ、５４ｂを位置決めする。以下で説明するように、ベースミラー５２及びサイドミラー５４ａ、５４ｂは平面ミラーであってもよい。ベースミラー５２とサイドミラー５４ａ、５４ｂの角度は、それぞれの頂点におけるこれらのミラーに対する接線の角度に対応してもよい。この規定によれば、図５ｂに示すように、サイドミラー５４ａはベースミラー５２に対して角度θ（ａ）５であり、サイドミラー５４ｂはベースミラー５２に対して角度θ（ｂ）５である。角度θ（ａ）５とθ（ｂ）５は、通常、互いに等しくなるが、代替的に、これらの角度θ（ａ）５及びθ（ｂ）５は、いくつかの実施形態において異なり得る。例えば、角度θ（ａ）５及びθ（ｂ）５のそれぞれは、約１００°乃至約１１０°の範囲であり得る。以下でさらに詳細に説明するように、これらの角度θ（ａ）５及びθ（ｂ）５は、図５ｃを参照して説明するように、ミラー５４ａ、５４ｂの反射に影響を与え得るか、または影響を受け得る。
【００３９】
上述したように、化粧用ミラー５０の幾何学的形状、特にサイドミラー５４ａ、５４ｂの間の距離を規定するベースパネル５６の幅５２Ｗ、及びベースミラー５２に対するサイドミラー５４ａの角度θ（ａ）５およびθ（ｂ）５は、ベースミラー１２に対して。幅５２Ｗとベースミラー５２に対するサイドミラー５４ａ、５４ｂの角度θ（ａ）５及びθ（ｂ）５との間のこの相互作用は、図５ｃに示す菱形５５を参照して考慮することができる。図５ｃの向きでは、使用者は、目の下にあるサイドミラー５４ａおよび目の上にあるサイドミラー５４ｂを有する化粧用ミラー５０の中を下方に見ている可能性がある。ミラー５０は、菱形５５の頂点である３点反射を提供し得る。使用者が菱形５５の頂点またはその近くに（例えば、菱形５５の最も長い辺によって形成された菱形５５の点に）目を置くと、菱形５５の最も短い幅の対向する頂点がサイドミラー５４ａ、５４ｂに接触する。
【００４０】
化粧用ミラー５０は、使用者がベースミラー５２の真っ直ぐ前から目の反射を見ることができ、頭を動かすことなく、目の焦点Ｅ合わせるだけで、下部に位置するサイドミラー５４ａにおける目蓋の上部の反射と、上部に位置するサイドミラー５４ｂにおける目蓋の下部の反射を見ることができる。実際には、使用者は、サイドミラー５４ａに向かって下方に焦点を合わせることによって目蓋の上部を見て、サイドミラー５４ｂに向かって上方に焦点を合わせることによって目蓋の下部を見る。しかしながら、双方の場合において、目の視界は、サイドミラー５４ａ、５４ｂによって反射され、本開示のこの実施形態による目の化粧品の適用を著しく促進する。
【００４１】
化粧用ミラー５０の一実施形態によれば、幅５２Ｗは約２と４分の１インチであり、角度θ（ａ）およびθ（ｂ）は、およそθ＝１００°乃至１１０°で互いに等しい。この例では、サイドミラー５４ａ、５４ｂは、ベースミラー５２の中心より上の距離ＥＹＥ＿ＤＩＳＴ（すなわち、菱形５５の頂点）で対象物（すなわち、使用者の目Ｅ）を反射するように構成される。この位置では、使用者は、頭を動かさずに、サイドミラー５４ａにおける目蓋の上部の反射と、サイドミラー５４ｂにおける目蓋の下部の反射と、ベースミラー５２における目のまっすぐな反射とを見る。
【００４２】
図５ｄは、化粧用ミラー５０の一実施形態の背面を示す。この実施例では、ベースパネル５６の背面に、化粧用ミラー５０を浴室ミラーのような垂直面に取り付けるためのマグネットベースおよび／またはクリップベースのアタッチメントが備わっている。ブランド戦略の目的のために、ベースパネル１６の裏側にロゴを設けることができる。
【００４３】
図６ａ及び図６ｂは、本開示の一実施形態によるベース６０を示す。図６ａは、ベースパネル５６がベースミラー５２を囲むことができる短い壁部分を有し、サイドパネル５８ａ、５８ｂが同様にサイドミラー５４ａ、５４ｂを囲むことができる短い壁部分を有する、図５ａから５ｄの化粧用ミラー５０の実施形態を示す。この構成では、図６ｂの底部斜視図に示すように、ベースパネル６６の角部にそれぞれ孔６３を設けることができる。この実施例では、ベース６０のベースパネル６６の孔６３は円形であってもよく、それぞれベースパネル５６の対応する足部５１をそれに応じてぴったりと受容するのに適しているサイズである。例えば、孔６３のサイズは、足部５１の外径にぴったりと一致している。このぴったりとした対応により、足部５１の環状体の形状は、それぞれの孔６３に挿入されたときに若干の撓みを許容し、スナップフィットをもたらす。ベース６０は、化粧用ミラー５０のサイズに対応するサイズを有し得る。より具体的には、ベース６０の内部容積は、化粧用ミラー５０のベース６０の中への配置に適応するようなサイズにすることができ、化粧用ミラー５０のサイドパネル５８ａ、５８ｂがベース６０の矩形のサイドパネル６５の内側に沿って配置されている。化粧用ミラー５０は、ベースパネル６６によって提供され得る穴６３内に足部５１を向けることによって、所望の位置に配置または位置決めされ得る。磁石は、化粧用ミラー５０上の２つの中央に位置する凹部に配置され、ベース６０のベースパネル６６上の同じ位置に２つの鉄系金属のディスクを整列させることができることに留意されたい。
【００４４】
１又はそれ以上の実施形態が本明細書に記載されているが、当然のことながら、これらの実施形態の改変及びその代替物であって、本開示の１又はそれ以上の利点および効果を得ることができるそのような改変および代替物は、本明細書および図面を参照する当業者には明らかであると考えられる。そのような改変および代替物は、ここで続いて請求される本開示の範囲内にあると考えられる。
【図１ａ】
2019155065.tif 000003
【図１ｂ】
2019155065.tif 000004
【図１ｃ】
2019155065.tif 000005
【図１ｄ】
2019155065.tif 000006
【図２ａ】
2019155065.tif 000007
【図２ｂ】
2019155065.tif 000008
【図２ｃ】
2019155065.tif 000009
【図２ｄ】
2019155065.tif 000010
【図２ｅ】
2019155065.tif 000011
【図２ｆ】
2019155065.tif 000012
【図３ａ】
2019155065.tif 000013
【図３ｂ】
2019155065.tif 000014
【図３ｃ】
2019155065.tif 000015
【図４ａ】
2019155065.tif 000016
【図４ｂ】
2019155065.tif 000017
【図５ａ】
2019155065.tif 000018
【図５ｂ】
2019155065.tif 000019
【図５ｃ】
2019155065.tif 000020
【図５ｄ】
2019155065.tif 000021
【図６ａ】
2019155065.tif 000022
【図６ｂ】
2019155065.tif 000023
【誤訳訂正書】
【提出日】平成30年12月21日(2018.12.21)
【誤訳訂正１】
【訂正対象書類名】特許請求の範囲
【訂正対象項目名】全文
【訂正方法】変更
【訂正の内容】
【特許請求の範囲】
【請求項１】
化粧用ミラーであって、
２つの長辺と２つの短辺を有するベースパネルの表面のベースミラーと、
第１のサイドパネル及び第２のサイドパネルのそれぞれの表面の第１のサイドミラーと第２のサイドミラーとの間の３点反射経路であって、前記第１のサイドパネル及び第２のサイドパネルが、前記ベースパネルの前記２つの長辺の対向する平行な縁部に取り付けられた、３点反射経路と、
を具えることを特徴とする化粧用ミラー。
【請求項２】
請求項１に記載の化粧用ミラーにおいて、
前記第１のサイドミラーおよび前記第２のサイドミラーのそれぞれは、実質的に平坦であることを特徴とする化粧用ミラー。
【請求項３】
請求項１に記載の化粧用ミラーにおいて、
前記第１のサイドミラー及び前記第２のサイドミラーのそれぞれの角度が等しいことを特徴とすることを特徴とする化粧用ミラー。
【請求項４】
請求項１に記載の化粧用ミラーにおいて、
前記第１のサイドミラー及び前記第２のサイドミラーは、前記第１のサイドミラーと前記第２のサイドミラーとの間の菱形の第１の頂点に対応する位置で対象物の反射を生成することを特徴とする化粧用ミラー。
【請求項５】
請求項４に記載の化粧用ミラーにおいて、
前記３点反射経路は、前記第１の頂点と、前記第１のサイドミラーに接触するように配置された第２の頂点と、前記第２のサイドミラーに接触するように配置された第３の頂点とを有することを特徴とする化粧用ミラー。
【請求項６】
請求項１に記載の化粧用ミラーにおいて、
前記第１のサイドパネル及び前記第２のサイドパネルは、それぞれ、第１のヒンジ及び第２のヒンジを介して前記ベースパネルの前記２つの長辺の対向する平行な縁部に取り付けられていることを特徴とする化粧用ミラー。
【請求項７】
請求項６に記載の化粧用ミラーにおいて、
前記第１および第２のヒンジは、前記第１のサイドパネル及び前記第２のサイドパネルを、選択された角度で閉じた位置と開いた位置との間で互いに対して移動させることを特徴とする化粧用ミラー。
【請求項８】
請求項６に記載の化粧用ミラーにおいて、
前記選択された角度は、前記第１及び第２ヒンジの最大開放位置であることを特徴とする化粧用ミラー。
【請求項９】
請求項６に記載の化粧用ミラー装置において、
前記第１及び第２のヒンジの各々は、前記選択された角度で戻り止めを有することを特徴とする化粧用ミラー。
【請求項１０】
請求項１に記載の化粧用ミラーにおいて、
さらに、前記ベースパネルの背面に取り付け可能なマグネットまたはクリップを具えることを特徴とする化粧用ミラー。
【請求項１１】
化粧用ミラーであって、
第１及び第２のサイドパネルのそれぞれの表面の第１及び第２のサイドミラー間に設けられた３点反射経路であって、前記第１及び第２のサイドパネルが、リニアヒンジを介して対応する縁部に沿って互いに接合されている、３点反射経路を具えることを特徴とする化粧用ミラー。
【請求項１２】
請求項１１に記載の化粧用ミラーにおいて、
前記リニアヒンジが、前記化粧用ミラーが開く最大角度でロックすることを特徴とする化粧用ミラー。
【請求項１３】
請求項１１に記載の化粧用ミラーにおいて、
さらに、前記化粧用ミラーが開いているときに選択された角度で前記リニアヒンジを保持する戻り止めを具えることを特徴とする化粧用ミラー。
【請求項１４】
請求項１１に記載の化粧用ミラーにおいて、
前記３点反射経路は、第１の頂点と、前記第１のサイドミラーに接触するように配置された第２の頂点と、前記第２のサイドミラーに接触するように配置された第３の頂点とを含み、使用者の頭部を動かさずに前記第１又は第２のサイドミラーに焦点を合わせることによって、使用者が使用者の目蓋の上部の反射を見ることができるように、前記第１及び第２のサイドミラーにより、前記３点反射経路の前記第１の頂点に使用者の目を位置させることができることを特徴とする化粧用ミラー。
【請求項１５】
化粧用ミラーであって、
２つの長辺、２つの短辺及び鏡面を有するベースパネルと、
前記ベースパネルの前記２つの長辺の対向する平行な縁部に取り付けられた第１および第２のサイドパネルの間の３点反射経路と、
を具えており、
前記第１のサイドパネル及び前記第２のサイドパネルのそれぞれが鏡面を有することを特徴とする化粧用ミラー。
【請求項１６】
請求項１５に記載の化粧用ミラーにおいて、
前記ベースパネル、前記第１のサイドパネル及び前記第２のサイドパネルの鏡面が、前記ベースパネル、前記第１のサイドパネル及び前記第２のサイドパネルにそれぞれ取り付けられた実質的に平坦なミラーであることを特徴とする化粧用ミラー。
【請求項１７】
請求項１５に記載の化粧用ミラーにおいて、
前記第１のサイドパネルおよび前記第２のサイドパネルの鏡面は、使用者が頭を動かすことなく、使用者の目の上目蓋および下目蓋を見ることができる反射を提供することを特徴とする化粧用ミラー。
【請求項１８】
請求項１５に記載の化粧用ミラーにおいて、
前記第１のサイドパネルおよび前記第２のサイドパネルの各々の鏡面は、前記第１のサイドパネルと前記第２のサイドパネルとの間の距離に対応する長さの辺を有する前記第１のサイドパネル及び前記第２のサイドパネルの鏡面の間の菱形の頂点に対応する位置にある対象の反射像を生成することを特徴とする化粧用ミラー。
【請求項１９】
請求項１５に記載の化粧用ミラーにおいて、
前記ベースパネルに対する前記第１のサイドパネルの角度は、前記ベースパネルに対する前記第２のサイドパネルの角度に等しいことを特徴とする化粧用ミラー。
【請求項２０】
請求項１５に記載の化粧用ミラーにおいて、
前記ベースパネルの鏡面が実質的に平坦であることを特徴とする化粧用ミラー。
【外国語明細書】
2019155065000001.pdf